(57)【要約】本発明は無線通信の方法を提供する。本方法の一実施形態は、輻輳レベルを示す情報に基づいて少なくとも１つのパケット伝送のための持続性パラメータを決定することを含む。
2010515359.tif 000002
【特許請求の範囲】
【請求項１】
輻輳レベルを示す情報に基づいて少なくとも１つのパケット伝送のための持続性パラメータを決定するステップを含む無線通信の方法。
【請求項２】
前記輻輳レベルを示す前記情報に基づいて前記持続性パラメータを決定するステップは、バックログおよび負荷の少なくとも１つに基づいて前記持続性パラメータを決定するステップを含む、請求項１に記載の方法。
【請求項３】
前記持続性パラメータを決定するステップは、少なくとも１つの基地局に関連付けられた少なくとも１つのアクセス・サービス・クラスに対してバックログおよび負荷の少なくとも１つに基づいて前記持続性パラメータを決定するステップを含む、請求項２に記載の方法。
【請求項４】
前記バックログに基づいて前記持続性パラメータを決定するステップは、少なくとも１つの受信されたランダム・アクセス・チャネル・メッセージに関連付けられた少なくとも１つの巡回冗長検査エラーに基づいて転送エラー率を推定するステップを含む、請求項２に記載の方法。
【請求項５】
前記バックログに基づいて前記持続性パラメータを決定するステップは、少なくとも１つの検出されたユーザと、少なくとも１つのアクセス・スロットと、少なくとも１つのアクセス・サービス・クラス・シグナチャとについての巡回冗長検査エラーを平均化するステップを含む、請求項４に記載の方法。
【請求項６】
前記バックログに基づいて前記持続性パラメータを決定するステップは、仮想復号器を使用して転送エラー率を推定するステップを含む、請求項２に記載の方法。
【請求項７】
前記仮想復号器を使用して前記転送エラー率を推定するステップは、
ビット当たりの信号エネルギーと加法性雑音および干渉との比（Ｅｂ／Ｎｏ）を推定するステップと、
前記推定された比とリンクレベル結果およびルックアップ・テーブルの少なくとも１つとを使用して前記転送エラー率を推定するステップと
を含む、請求項６に記載の方法。
【請求項８】
前記負荷に基づいて前記輻輳レベルを推定するステップは、いくつかの肯定応答されたプリアンブルおよびいくつかの利用可能なリソースに基づいて前記負荷を推定するステップを含み、前記輻輳レベルを推定するステップは、前記少なくとも１つのアクセス・サービス・クラスに関連付けられた、いくつかの肯定応答されたプリアンブルおよびいくつかの利用可能なリソースに基づいて、少なくとも１つのアクセス・サービス・クラスに対する少なくとも１つの負荷を推定するステップを含む、請求項２に記載の方法。
【請求項９】
前記輻輳レベルを示す前記情報に基づいて前記持続性パラメータを決定するステップは、選択された期間にわたって平均化された前記輻輳レベルの値に基づいて前記持続性パラメータを決定するステップを含む、請求項１に記載の方法。
【請求項１０】
前記決定された持続性パラメータを示す情報を少なくとも１つのモバイル・ユニットに与えるステップを含む、請求項１に記載の方法。
【発明の詳細な説明】
【技術分野】
【０００１】
本発明は、一般に通信システムに関し、より詳細には、無線通信システムに関する。
【背景技術】
【０００２】
モバイル・ユニットはモバイル・ユニットと１つまたは複数の基地局またはノードＢとの間のエア・インターフェースを介して従来の無線通信システムと通信する。エア・インターフェースは、データ・チャネル、シグナリング・チャネル、ブロードキャスト・チャネル、ページング・チャネルなど、いくつかの共有および／または専用チャネルをサポートする。たとえば、ランダム・アクセス・チャネルは、複数のモバイル・ユニットがエア・インターフェースを介して情報を送信するために使用することができる共有チャネルである。ランダム・アクセス・チャネルの１つのスロットが利用可能になったとき、２つ以上のモバイル・ユニットがそのスロットを使用してパケットを送信しようと試みることがあり、その結果、送信されたパケット間で衝突が起こることがある。一般に、衝突が起こると、基地局が１つまたは複数のパケットをうまく受信および／または復号することができなくなる。基地局は、成功裏に受信されたパケットに応答して肯定応答（ＡＣＫ）を送信することができる。しかしながら、モバイル・ユニットがＡＣＫを受信しない場合、２つ以上のモバイル・ユニットが同じアクセス・スロットでパケットを再送信することがあり、複数の再送信されたパケットは再び衝突して、さらなる再送信につながることがある。
【０００３】
無線通信システムは、一般に、持続性（ｐｅｒｓｉｓｔｅｎｃｅ）アルゴリズムを実施して、再送信されたパケット間の衝突を低減し、それによって無線通信システムの全体的なスループットおよび安定性を高めようと試みる。持続性アルゴリズムは、同じパケットの可能な送信および／または再送信の間の時間遅延である「バックオフ」と、モバイル・ユニットが、バックオフによって決定される時間（またはアクセス・スロット）で実際にパケットを再送信する確率を決定する「持続性」とを決定することからなる。たとえば、パケットのｒ番目の再送信に対するバックオフ時間は、ポワソン到着率によって決定できる。データ・パケットの最初の送信に対するポワソン到着率がλ０によって与えられる場合、パケットのｒ番目の再送信に対するポワソン到着率λ（ｒ）は、
【数１】
2010515359.tif 000003
によって与えられ、式中、パラメータｐはバックオフ率であり、ｆ（ｐ）はバックオフ率の選択された関数である。ｒ番目の再送信に対するポワソン到着率を決定するために使用できる例示的な関数には、指数バックオフ、線形バックオフ、μ則バックオフ、および階段関数バックオフがある。バックオフによって決定された現在の再送信サイクルでパケットを再送信するかどうかを判断するために、モバイル・ユニットは乱数を計算し、この乱数を持続性値と比較することができる。乱数が持続性値よりも小さい場合、モバイル・ユニットはパケットを再送信することができ、乱数が持続性値よりも大きい場合、モバイル・ユニットはパケットを再送信することができない。
【０００４】
持続性値は、一般に、無線通信システムによって割り当てられるパラメータに基づいてモバイル・ユニットによって決定される。たとえば、ユニバーサル移動体通信システム（ＵＭＴＳ）は、モバイル・ユニットに対して異なるアクセス・サービス・クラスを定義する、Ｗ−ＣＤＭＡなどの符号分割多元接続（ＣＤＭＡ）プロトコルを実装する。たとえば、ＵＭＴＳ  Ｗ−ＣＤＭＡは、いくつかのサービス品質クラスに従って定義できる最大８つのアクセス・サービス・クラスを確立することができる。モバイル・ユニットのサービス品質（ＱｏＳ）クラスに基づいて、各モバイル・ユニットをアクセス・サービス・クラスの１つに割り当てることができる。たとえば、モバイル・ユニットは無線リソース制御（ＲＲＣ）接続要求などのメッセージを基地局に送信することができ、基地局は次いで、無線リソース制御層中に１つまたは複数の関連付けられたアクセス・サービス・クラスを確立することができる。
【０００５】
次いで、基地局はモバイル・ユニットに利用可能なアクセス・サービス・クラスを信号で伝えることができる。たとえば、基地局はモバイル・ユニットのメディア・アクセス制御（ＭＡＣ−ｃ）層にＣＭＡＣ−ＣＯＮＦＩＧ−ＲＥＱを送信することができる。次いで、モバイル・ユニットのＭＡＣ−ｃ層は、ＭＡＣ論理チャネルの優先順位に従って、利用可能なアクセス・サービス・クラスのセットから特定のアクセス・サービス・クラスを選択することができる。各アクセス・サービス・クラスは、選択されたアクセス・サービス・クラスに基づいてモバイル・ユニットによって決定できる、関連付けられた持続性を有する。たとえば、持続性値は、動的持続性レベルＮ＝１，２，．．．，８および持続性スケーリング係数ｓｉ＝｛０．２，０．３，．．．，０．９｝に基づいて、式
【数２】
2010515359.tif 000004
を使用して算出することができる。動的持続性レベルおよび／または持続性スケーリング係数の値は一般にモバイル・ユニットに送信される。たとえば、動的持続性レベルおよび／または持続性スケーリング係数の値はシステム情報ブロック（ＳＩＢ）タイプ５および７でブロードキャストできる。
【発明の概要】
【発明が解決しようとする課題】
【０００６】
しかしながら、従来の持続性制御アルゴリズムは無線通信システムにおける状態の変化に対応しない。たとえば、従来の持続性制御アルゴリズムは、輻輳レベル、バックログ、システム負荷などの変化に対応しない。したがって、従来の持続性制御アルゴリズムは、システム中の輻輳レベル、モバイル・ユニットおよび／または基地局に関連付けられたバックログ、および／またはシステム負荷を低減するために様々な持続性パラメータを修正することができないことがある。
【課題を解決するための手段】
【０００７】
本発明は、上記のうちの１つまたは複数の問題の影響に対処することを対象とする。以下に、本発明のいくつかの態様の基本的な理解を与えるために本発明の簡略化された概要を示す。本発明の概要は本発明の全概観ではない。本発明の概要は、本発明の重要または不可欠な要素を識別すること、または本発明の範囲を規定するものではない。その唯一の目的は、後述するより詳細な説明の前置きとして、いくつかの概念を簡略化された形で提示することである。
【０００８】
本発明の一実施形態では、無線通信のための方法が提供される。本方法の一実施形態は、輻輳レベルを示す情報に基づいて少なくとも１つのパケット伝送のための持続性パラメータを決定することを含む。
【０００９】
本発明は、同様の参照番号が同様の要素を識別する、添付の図面に関連して行われる以下の説明を参照することによって理解できる。
【図面の簡単な説明】
【００１０】
【図１】本発明による無線通信システムの例示的な一実施形態を概念的に示す図である。
【図２】本発明による基地局の部分の例示的な一実施形態を概念的に示す図である。
【発明を実施するための形態】
【００１１】
本発明は様々な変更形態および代替の形態が可能であるが、本発明の具体的な実施形態は図面中に例として図示されており、本明細書で詳細に説明される。しかしながら、具体的な実施形態の本明細書での説明は本発明を開示された特定の形態に限定するものではなく、むしろ、その意図は、添付の特許請求の範囲によって定義される本発明の範囲内に入るすべての変更形態、均等物、および代替形態を包含することであることを理解されたい。
【００１２】
本発明の例示的な実施形態について以下で説明する。見やすくするために、本明細書では、実際に実施されたものの特徴すべてを説明するわけではない。もちろん、そのような実際の実施形態の開発では、実装ごとに異なるであろう、システム関連および業務関連の制約への準拠など、開発者の固有の目的を達成するために、多数の実装固有の決定をすべきであることは理解されよう。さらに、そのような開発努力は、複雑で時間がかかることがあるが、とはいえ、この開示の恩恵を受ける当業者にとって日常的な仕事とすることができることを理解されたい。
【００１３】
本発明および対応する詳細な説明の部分は、ソフトウェア、またはアルゴリズムおよびコンピュータ・メモリ内のデータ・ビット上の演算の記号表現で表される。これらの説明および表現は、当業者が自身の仕事の本質を他の当業者に効果的に伝えるためのものである。アルゴリズムは、本明細書で使用されるように、また一般に使用されるように、所望の結果に至る首尾一貫した一連のステップであると考えられる。ステップは、物理量の物理操作を必要とするステップである。必ずしもそうとは限らないが、通常、これらの量は、格納する、転送する、組み合わせる、比較する、あるいは他の方法で操作することが可能な、光信号、電気信号、または磁気信号の形態をとる。主として一般的な用法という理由から、これらの信号をビット、値、要素、記号、文字、項、数字などと呼ぶことは、時として便利であることがわかっている。
【００１４】
しかし、これらおよび同様の用語はすべて、適切な物理量に関連付けられるべきであり、これら物理量に付けられる便利なラベルにすぎないことに留意されたい。特に別段の規定がない限り、または、考察から明らかなように、「処理」または「計算」または「算出」または「決定」または「表示」などの用語は、コンピュータ・システムのレジスタおよびメモリ内の物理的、電気的量として表現されるデータを操作し、コンピュータ・システムのメモリまたはレジスタ、あるいは他のそのような情報記憶装置、伝送装置、または表示装置内の物理量として同様に表現される他のデータへ変換する、コンピュータ・システムまたは同様の電子計算装置の動作およびプロセスを指す。
【００１５】
本発明のソフトウェア実装態様はまた、一般に、何らかの形式のプログラム記憶媒体上で符号化されるか、またはあるタイプの伝送媒体を介して実施されることに留意されたい。プログラム記憶媒体は、磁気媒体（たとえば、フロッピー（登録商標）・ディスクまたはハード・ドライブ）でも、光学式媒体（たとえば、コンパクト・ディスク読取り専用メモリ、すなわち「ＣＤ−ＲＯＭ」）でもよく、読取り専用でもランダムアクセスでもよい。同様に、伝送媒体は、当技術分野に知られているツイスト・ペア線、同軸ケーブル、光ファイバ、または何らかの他の適切な伝送媒体でもよい。本発明は、所与の実装のこれらの態様によって限定されない。
【００１６】
次に、添付の図を参照しながら本発明について説明する。様々な構造、システムおよび装置は、単に説明のために、また、当業者によく知られている詳細により本発明を不明瞭にしないように、図面中では概略的に示される。とはいえ、添付の図面は、本発明の例示的な例を記述し、説明するために含まれる。本明細書で使用される語句は、当業者によるそれらの語句の理解と矛盾しない意味を有するように理解され、解釈されるべきである。本明細書の語または句の矛盾しない用法によって暗示されるものとされる、語または句の特別な定義、すなわち、当業者によって理解される通常の、および慣習的な意味とは異なる定義はない。語または句が特別な意味、すなわち、当業者によって理解される意味以外の意味を有するものとされる程度まで、このような特別な定義は、語または句に特別な定義を直接かつ明快に与える定義法で明細書に明示的に記載されることになる。
【００１７】
図１は、無線通信システム１００の例示的な一実施形態を概念的に示す。図示の実施形態では、無線通信システム１００は、ＡＮＳＩ  ＴＩＡ／ＥＩＡ／ＩＳ−２０００規格で定義された符号分割多元接続（ＣＤＭＡ）プロトコルなどの第３世代の無線通信プロトコルにより無線接続性を提供することができる。しかしながら、本開示の恩恵を受ける当業者は、本発明がＣＤＭＡプロトコルに限定されず、別の実施形態では他の無線通信プロトコルをＣＤＭＡプロトコルと組み合わせておよび／またはそれに加えて実装することができることを理解されたい。図示の実施形態では、無線通信システム１００は１つまたは複数の基地局１０１を含む。しかしながら、本発明は基地局１０１に限定されず、別の実施形態ではノードＢ、アクセス・ポイント、アクセス・ネットワーク、基地局ルータなど、無線接続性を提供するための他のデバイスを実装することができる。
【００１８】
基地局１０１は、エア・インターフェース１１０（１〜３）を介した１つまたは複数の無線通信リンクを使用して、１つまたは複数のモバイル・ユニット１０５（１〜３）などのエンドユーザ・デバイスに無線接続性を提供することができる。見やすくするために、モバイル・ユニット１０５および／またはエア・インターフェース１１０を集合的に指す場合は、添字（１〜３）を省くことがある。しかしながら、モバイル・ユニット１０５および／またはエア・インターフェース１１０を個々に指す場合、あるいはモバイル・ユニット１０５および／またはエア・インターフェース１１０のサブセットを指す場合は、添字（１〜３）を使用することがある。識別番号を共有する構成要素を区別する他の添字に関して、同じ慣例が使用できる。モバイル・ユニット１０５は、限定しないが、携帯電話、携帯情報端末、ラップトップ・コンピュータ、スマート・フォン、ページャ、テキスト・メッセージ装置、全地球測位システム（ＧＰＳ）装置、ネットワーク・インターフェース・カード、デスクトップ・コンピュータなどを含む任意の種類のモバイル・ユニット１０５でよい。
【００１９】
モバイル・ユニット１０５と基地局１０１との間の無線通信リンクはランダム・アクセス・チャネルなどの多数のチャネルを含む。ランダム・アクセス・チャネルは共有チャネルであるので、モバイル・ユニット１０５のいずれかまたはすべては、ランダム・アクセス・チャネルの開いたアクセス・スロットを使用してエア・インターフェース１１０を介した情報の送信を試みることができる。したがって、２つ以上のモバイル・ユニット１０５がランダム・アクセス・チャネルの各空きスロットで情報のパケットの送信を試みることができる。たとえば、基地局１０１とモバイル・ユニット１０５との間のランダム・アクセス・チャネル上のパケット伝送のシーケンスは、軸線１１５上に示されるようなものである。図示の実施形態では、ランダム・アクセス・チャネルの第１のアクセス・スロット（軸線１１５の左辺）が利用可能になり、３つのモバイル・ユニット１０５のすべては、パケット１２０（図１では１つのパケットのみを番号で示す）の送信を試みる。第１のスロットで送信されるパケット１２０の部分は重なるかまたは衝突するので、３つのパケット１２０は再送信される必要がある。
【００２０】
モバイル・ユニット１０５は、いつパケットを再送信するかを、バックオフ時間および持続性パラメータを決定する持続性アルゴリズムを使用して決定することができる。本明細書で使用されるように、また当技術分野における一般的な用法によれば、「バックオフ」という用語は、同じパケットの可能な送信および／または再送信の間の時間遅延を指すものであり、「持続性」という用語は、モバイル・ユニットが、バックオフによって決定される時間（またはアクセス・スロット）で実際にパケットを再送信する確率を決定するパラメータ値であることを理解されたい。図示の実施形態では、モバイル・ユニット１０５は、基地局１０１で（または無線通信システム１００内の何らかの他の実体で）決定され、次いでモバイル・ユニット１０５に与えられる持続性パラメータの値を利用する。持続性パラメータの値は無線通信システム１００の現在の動作状態に基づいて決定される。一実施形態では、持続性パラメータは、無線通信システム１００のバックログおよび／または無線通信システム１００の負荷の大きさを使用して決定することができる、無線通信システム１００内の輻輳レベルに基づいて決定される。
【００２１】
図２は、基地局の部分２００の例示的な一実施形態を概念的に示す。図示の実施形態では、部分２００は物理（ＰＨＹ）層２０５および基地局２００の無線リソース制御（ＲＲＣ）層２１０を含む。物理層２０５は、基地局および／またはモバイル・ユニットにおけるデータ・リンク層などのデータ・リンク実体間でビット・ストリームを透過的に伝送するための機能を提供する。無線リソース制御層２１０は、情報転送サービスを提供し、データ・リンク層や物理層２０５などの無線インターフェース層の構成を制御する役目を果たすことができる。ただし、例示的な部分２００は例示的なものであり、本発明を限定するものではないことを、本開示の恩恵を受ける当業者は理解されたい。
【００２２】
物理層２０５は、ランダム・アクセス・チャネルなどの共有チャネルを介して１つまたは複数のモバイル・ユニットから受信されるシンボルを示す非拡散信号を受信することができるチャネル補償ユニット２１５を含む。チャネル補償ユニット２１５は、１つまたは複数のモバイル・ユニットから受信されるシンボルの復号を試みるためにチャネル復号器２２０に部分的に処理された信号を供給する。チャネル復号器２２０がシンボルのうちの１つまたは複数を復号するのに成功した場合、チャネル復号器２２０は、矢印２２５で示すように、基地局２００の他の部分に復号されたランダム・アクセス・チャネル・メッセージを与えることができる。チャネル復号器２２０は、シンボルのうちの１つまたは複数を復号するために、送信エラーおよび／または他の失敗を示す情報を与えることもできる。たとえば、チャネル復号器２２０は、ＲＲＣ層２１０の巡回冗長検査（ＣＲＣ）イベント平均化ユニット２３０に、失敗した巡回冗長検査を示す情報を与えることができる。
【００２３】
ＣＲＣイベント平均化ユニット２３０は、チャネル復号器２２０によって報告されるＣＲＣエラーを選択された時間ウィンドウにわたって蓄積し、これらのウィンドウにわたってＣＲＣエラーを平均化することができる。たとえば、平均化間隔は、必要とされる適応速度に応じて選択できる。短い平均化ウィンドウは、ＣＲＣエラーの数が比較的急速に変化することが予想される場合のアクセスを制御するために使用でき、より長い平均化ウィンドウは、平均化の確度および／または安定性を向上させるために使用できる。一実施形態では、異なるアクセス・サービス・クラスに割り当てられたモバイル・ユニットについてＣＲＣエラーを別々に報告および／または平均することができる。次いで、平均化されたＣＲＣエラー率、および／または所与の時間中に蓄積されたＣＲＣエラーを同じ時間の間に受信されたランダム・アクセス・チャネル・メッセージの数で割ることによって推定される転送エラー率を、輻輳推定器２３５に報告することができる。
【００２４】
輻輳推定器２３５は、物理層２０５によって与えられるＣＲＣエラー率などの情報に基づいて無線通信システム内の輻輳レベルを推定することができる。一実施形態では、輻輳推定器２３５は、平均化されたＣＲＣエラー率に基づいて決定される無線通信システムのバックログの推定値を使用して、輻輳レベルを推定することができる。たとえば、ランダム・アクセス・チャネル・メッセージの転送エラー率は無線通信システム内のバックログの妥当な指標になり得る。したがって、輻輳推定器２３５は、バックログの推定値を決定するためにＰＨＹ層２０５によって与えられる転送エラー率の推定値を使用することができる。代替として、輻輳推定器２３５は、所与の時間中に蓄積されたＣＲＣエラー（ＰＨＹ層２０５によって報告される）を同じ時間の間に受信されたランダム・アクセス・チャネル・メッセージの数で割ることによって、転送エラー率を推定することができる。一実施形態では、転送エラー率は、すべての利用可能なリソース（たとえば、各アクセス・サービス・クラスに対する利用可能なアクセス・ロットおよびシグナチャ）について検出された全ユーザのＣＲＣエラーを平均化することによって計算される。
【００２５】
ただし、本開示の恩恵を受ける当業者は、バックログの他の推定値も使用できることを理解されたい。代替の一実施形態では、輻輳推定器２３５は仮想復号器（図示せず）を使用して転送エラー率を決定することができる。たとえば、仮想復号器を使用して、ランダム・アクセス・チャネル・メッセージを復号し、次いで復号されたメッセージについてビット当たりの信号エネルギーと加法性雑音および干渉との比（Ｅｂ／Ｎｏ）を推定することができる。次いで、Ｅｂ／Ｎｏを転送エラー率に関連付けるリンクレベル結果またはルックアップ・テーブルから転送エラー率を得ることができる。次いで、０と１との間の均一に分布する乱数を生成し、転送エラー率と比較することができる。乱数が転送エラー率を超えない場合、エラー・イベントが生成される。
【００２６】
各アクセス・サービス・クラスＡＳＣｉに対するバックログＢｉ（ｎ）は、
Ｂｉ（ｎ）≒ＦＥＲｘ（ＡＳＣｉに対して利用可能なリソースの数）
として推定できる。次いで、持続性値は、
【数３】
2010515359.tif 000005
を使用して決定することができ、式中、正規化係数Ｐ０は、式
【数４】
2010515359.tif 000006
によって与えられ、パラメータＫは負荷線の傾きを制御する。パラメータＫ、δ１、およびδ２の値は、理論的に、経験的に、および／または実験によって決定することができる。
【００２７】
システム負荷を使用して輻輳レベルを推定することもできる。一実施形態では、輻輳推定器２３５は、各アクセス・サービス・クラスのモバイル・ユニットによる送信に関連付けられた、いくつかの肯定応答されたプリアンブルに基づいてシステム負荷を推定することができる。たとえば、負荷は、すべての肯定応答されたプリアンブルの時間平均としてアクセス・サービス・クラスごとに推定できる。
Ｌｉ（ｎ）≒（フレーム当たりの肯定応答されたプリアンブルの数）×（フレームの平均化ウィンドウ）／（ＡＳＣｉの利用可能なリソースの数）。
代替として、輻輳推定器は、物理層２０５など、他の場所で計算されるシステム負荷の推定値を受信することができる。推定された負荷が選択されたしきい値を上回る場合、持続性値を調整して、ランダム・アクセス・チャネルへのアクセスを制限することができる。特定のしきい値、ならびに持続性値に対する調整は、設計選択の問題であり、理論的に、経験的に、および／または実験によって決定できる。
【００２８】
本明細書に記載の動的持続性アルゴリズムの実施形態は、負荷、バックログ、または衝突確率などの輻輳の指標に基づいて持続性値を適応させることができる。動的適応アルゴリズムはグローバル適応機構またはローカル適応機構のいずれかとして実装できる。グローバル適応アルゴリズムは、受信機でシステムの全体的な輻輳を推定し、このグローバル輻輳推定値に基づいて全体的な負荷を制御する。ローカル適応アルゴリズムは、送信局の輻輳レベルおよび／または衝突経験に基づいて各送信局で再送信を調節する。ＵＭＴＳ持続性アルゴリズムなどの従来の負荷制御アルゴリズムはブロードキャスト情報に基づく。これは、バックログまたは他の輻輳指標に基づいた動的な適応を可能にしない。これに対して、本明細書に記載の動的持続性アルゴリズムの実施形態は、バックログ推定値に応じて動的に負荷を制御するために使用でき、所望の負荷レベルへの高速かつ正確な負荷制御を可能にすることができる。
【００２９】
上記に開示された具体的な実施形態は例示的なものにすぎず、本発明は、本明細書の教示の恩恵を受ける当業者にとって明らかな、異なるが均等な様態で変更および実施できる。さらに、本明細書に示された構成または設計の詳細には、下記の特許請求の範囲に記載されている場合を除いて、限定する意図はない。したがって、上記に開示された具体的な実施形態は改変または変更でき、すべてのそのような変形例は本発明の範囲内であると考えられることは明白である。したがって、本明細書で求められる保護は、以下の特許請求の範囲に説明するとおりである。
【図１】
2010515359.tif 000007
【図２】
2010515359.tif 000008
【国際調査報告】
2010515359.tif 000009
2010515359.tif 000010